(57)【特許請求の範囲】
【請求項１】
手帳類に差込用ボードを回転自在に軸着させるための治具であって、
垂直方向に延びる外側挟み棒部(4)の上端から下内方へ中側挟み棒部(6)を折り返すとともに、この中側挟み棒部(6)の下端から上内方へ内側フック棒部(8)を延出してなり、
内側フック棒部(8)を垂直方向に直線的に延びる軸棒部とするとともに、外側挟み棒部(4)を、上記内側フック棒部(8)と平行な直線状棒部とし、
かつ中側挟み棒部(6)を、外側挟み棒部(4)の側へ屈曲させることで、外側挟み棒部(4)と中側挟み棒部(6)とで手帳類の一部を挟むためのクリップ機構(3)を構成し、
かつ外側挟み棒部(4)から下方へガイド棒部(10)を延長してなる、手帳類用クリップ治具。
【請求項２】
手帳類に差込用ボードを回転自在に軸着させるための治具であって、
垂直方向に延びる外側挟み棒部(4)の上端から下内方へ中側挟み棒部(6)を折り返すとともに、この中側挟み棒部(6)の下端から上内方へ内側フック棒部(8)を延出してなり、
内側フック棒部(8)を垂直方向に直線的に延びる軸棒部とするとともに、中側挟み棒部(6)を、上記内側フック棒部(8)と平行な直線状棒部とし、
かつ外側挟み棒部(4)を、中側挟み棒部(6)の側へ屈曲させることで、中側挟み棒部(6)と外側挟み棒部(4)とで手帳類の一部を挟むためのクリップ機構(3)を構成し、
かつ外側挟み棒部(4)から下方へガイド棒部(10)を延長してなる、手帳類用クリップ治具。
【請求項３】
上記外側挟み棒部(4)を波形状としたことを特徴とする、請求項２記載の手帳類用クリップ治具。
【請求項４】
複数の頁を綴ってなる手帳類(20)と、
この手帳類の任意の２枚の頁同士の間に挿入される差込み用ボード(30)と、
上記手帳類(20)にクリップ連結するとともに、差込み用ボード(30)を回転可能に軸着するための請求項１又は求項２記載の手帳類用クリップ治具(2)とからなり、
手帳類用クリップ治具(2)は、外側挟み棒部(4)を、上記２枚の頁の根元で形成するのど(G)に、また手帳類用クリップ治具の外側挟み棒部(4)を手帳類の背(Ｂ)にそれぞれ沿わせて手帳類にクリップ連結され、
上記差込み用ボード(30)は、そののど(G)へ挿入される一辺の端部にループ状枢着部(34)を付設し、このループ状枢着部(34)に上記手帳類用クリップ治具(2)の外側挟み棒部(4)を挿入させてなることを特徴とする、手帳類セット。
【発明の詳細な説明】
【技術分野】
【０００１】
本発明は、手帳類用クリップ治具及びこの手帳類用クリップ治具を含む手帳類セットに関する。ここで手帳類とは、手帳・ノートブック・本をいう。
【背景技術】
【０００２】
手帳類には各種目的で頁と頁の間に挟み込まれる差込み用ボードが用いられる。例えば縦長長方形の付箋貼付用台紙の長辺一側に複数のバインダー穴を開口してバインダー形式のシステム手帳に綴じ込んだものが知られている（特許文献１）。
【０００３】
しかしながら、この差込み用ボードは、バインダー形式の手帳類にしか適用できない。
【０００４】
そこで本願出願人は、手帳類の表紙部分の先端と、差込み用ボードの裏面の巾方向中間部とを連結バンドで連結し、この差込み用ボードを手帳類の任意の頁の間に差し込むことができるようにしたものを提案した（特許文献２）。
【先行技術文献】
【特許文献】
【０００５】
【特許文献１】特開２００６−１８８０３１
【特許文献２】特開２０１１−２５５５９０
【発明の概要】
【発明が解決しようとする課題】
【０００６】
上記特許文献２の発明は、例えばカレンダー式の手帳類の任意の週（又は月）に相当する頁の間に差込み用ボードを差込み、その週又は月に行うべき予定を付箋に書き込んで差込み用ボードに貼り付け、それら付箋を、一日に処理できる分だけ、週間（又は月間）スケジュールの各曜日欄に貼り付けるとともに、未処理の予定を記載した付箋に関しては、差込み用ボードに貼り付けたままで、次の週又は月に相当する頁の間に差込み用ボードに差し込むというように使用することができる。予定を手帳のメモ欄に直に書き込む場合と比較して、差込み用ボードを差し替えるだけで未処理の予定を次の週又は月に対応する頁に繰り越すことが容易にできるので便利である。
【０００７】
しかしながら特許文献２の差込み用ボードは手帳部分と一体になっており、既存の手帳類には適用できなかった。
【０００８】
本発明の第１の目的は、手帳類用差込みボードを既存の手帳類の適所（本の根元部分など）に簡単に連結することを可能とする治具を提案することである。
本発明の第２の目的は、その治具を用いて差込み用ボードを手帳類に組み込んだ手帳類セットを提案することである。
【課題を解決するための手段】
【０００９】
第１の手段は、手帳類に差込用ボードを回転自在に軸着させるための治具であって、
垂直方向に延びる外側挟み棒部4の上端から下内方へ中側挟み棒部6を折り返すとともに、この中側挟み棒部6の下端から上内方へ内側フック棒部8を延出してなり、
内側フック棒部8を垂直方向に直線的に延びる軸棒部とするとともに、外側挟み棒部4を、上記内側フック棒部8と平行な直線状棒部とし、
かつ中側挟み棒部6を、外側挟み棒部4の側へ屈曲させることで、外側挟み棒部4と中側挟み棒部6とで手帳類の一部を挟むためのクリップ機構3を構成し、
かつ外側挟み棒部4から下方へガイド棒部10を延長してなる。
【００１０】
本手段は、図１に示すクリップ治具を提案している。このクリップ治具は、外側挟み棒部4の上端から下内方へ中側挟み棒部6を垂下してなる逆Ｕ字形のクリップ機構3を有し、さらにその中側挟み棒部6の下端から内側フック棒部8を起立したから、クリップ機構3での手帳類の挟持と内側フック棒部8への差込み用ボード30の取り付けとを簡易な構造で実現できる。上記内側フック棒部8は、軸棒部としての機能を果たすために直線的に形成している。また本手段では、外側挟み棒部4は内側フック棒部8と平行な直線状棒部としている。この構造では、手帳類の背Ｂに外側挟み棒部4を、背と反対側（のどＧ）に中側挟み棒部6を沿わせて挟み付けたときに、クリップ機構3が背B側で比較的に嵩張ることがない（図３参照）。
【００１１】
第２の手段は、手帳類に差込用ボードを回転自在に軸着させるための治具であって、
垂直方向に延びる外側挟み棒部4の上端から下内方へ中側挟み棒部6を折り返すとともに、この中側挟み棒部6の下端から上内方へ内側フック棒部8を延出してなり、
内側フック棒部8を垂直方向に直線的に延びる軸棒部とするとともに、中側挟み棒部6を、上記内側フック棒部8と平行な直線状棒部とし、
かつ外側挟み棒部4を、中側挟み棒部6の側へ屈曲させることで、中側挟み棒部6と外側挟み棒部4とで手帳類の一部を挟むためのクリップ機構3を構成し、
かつ外側挟み棒部4から下方へガイド棒部10を延長してなる。
【００１２】
本手段は、図６に示すクリップ治具を提案している。このクリップ治具の中側挟み棒部6は内側フック棒部と平行な直線状棒部としている。この構造では手帳類の背Ｂに外側挟み棒部4を、背と反対側（のどＧ）に中側挟み棒部6を沿わせて挟み付けたときに、クリップ機構3がのどＧ側で比較的に嵩張ることがない（図８参照）。
【００１３】
第３の手段は、第２の手段を有し、かつ上記外側挟み棒部4を波形状としている。
【００１４】
本手段は、図10に示すクリップ治具を提案している。この治具の波形状の外側挟み棒部4は、バインダー型の手帳類のリング部分に適合するようにしている。
【００１５】
第４の手段は、手帳類セットであり、
複数の頁を綴ってなる手帳類20と、
この手帳類の任意の２枚の頁同士の間に挿入される差込み用ボード30と、
上記手帳類20にクリップ連結するとともに、差込み用ボード30を回転可能に軸着するための請求項１又は求項２記載の手帳類用クリップ治具2とからなり、
手帳類用クリップ治具2は、外側挟み棒部4を、上記２枚の頁の根元で形成するのどGに、また手帳類用クリップ治具の外側挟み棒部4を手帳類の背Ｂにそれぞれ沿わせて手帳類にクリップ連結され、
上記差込み用ボード30は、そののどGへ挿入される一辺の端部にループ状枢着部34を付設し、このループ状枢着部34に上記手帳類用クリップ治具2の外側挟み棒部4を挿入させてなることを特徴とする。
【００１６】
本手段は、先の治具を含む手帳類セットを提案している（図４参照）。
【発明の効果】
【００１７】
第１の手段及び第２の手段に係る発明によれば、クリップ機構3での手帳類の挟持と内側フック棒部8への差込み用ボード30の取り付けとを簡易な構造で実現できる。
第１の手段に係る発明によれば、外側挟み棒部4を直線状棒部としたから、クリップ機構3の手帳類20の背Ｂ側で嵩張ることがなく（図３参照）、故に手帳類20を開いたときに背Ｂ側にできる空間の高さｈが小さい、比較的薄い手帳類にも適用し易い。
第２の手段に係る発明によれば、中側挟み棒部6を直線状棒部としたから、クリップ機構3の手帳類20ののどＧ側で嵩張ることがなく（図８参照）、故に内側フック棒部8が手帳類ののどの近くに位置させることができ、体裁がよい。
第３の手段に係る発明によれば、バインダー型の手帳類に適用し易い。
【図面の簡単な説明】
【００１８】
【図１】本発明の第１実施形態に係る手帳類用クリップ治具の側面図である。
【図２】図１のクリップ治具のII−II線断面図である。
【図３】図１のクリップ治具を用いて手帳類及び差込み用ボードを連結した手帳類セットの要部拡大図である。
【図４】図３の手帳類セットの分解斜視図である。
【図５】図３の手帳類セットに用いる差込み用ボードを示す図であり、同図（Ａ）は差込み用ボードの正面図、同図（Ｂ）は同図（Ａ）の5B-5B線断面図である。
【図６】本発明の第２実施形態に係る手帳類用クリップ治具の側面図である。
【図７】図６のクリップ治具のVII−VII線断面図である。
【図８】図６のクリップ治具を用いて手帳類及び差込み用ボードを連結した手帳類セットの要部拡大図である。
【図９】図８の手帳類セットの分解斜視図である。
【図１０】本発明の第３実施形態に係る手帳類用クリップ治具の側面図である。
【図１１】図10のクリップ治具の使用例の説明図であり、同図（Ａ）はクリップ治具をリング状バインダー式手帳に適用した状態を上から見た図、同図（Ｂ）は、同図（Ａ）のXIB- XIB方向の断面図である。
【図１２】本発明の実施例に係るクリップ治具の側面図である。
【発明を実施するための最良の形態】
【００１９】
図１から図５は、本発明の第１の実施形態に係るクリップ治具及びこれを適用した手帳類セットを示している。
【００２０】
クリップ治具２は、図１に示すように、垂直方向に延びる外側挟み棒部４の上端から下内方へ中側挟み棒部６を折り返すとともに、この中側挟み棒部６の下端から上内方へ内側フック棒部８を起立している。
【００２１】
なお、本明細書において、内・中・外という用語は、便宜的にクリップ治具を手帳類に装着したときの本の内側、本の外側に準じて用いている。上・下という用語は、物品の相対的な位置関係を示すために便宜的に用いている。すなわち、“上”及び“下”の使い分けは、手帳類の背Ｂを垂直方向に向けて手帳類の上側にクリップ治具を装着した場合を想定して決定しているが、手帳類の下側にクリップ治具を装着した場合には、本願明細書にいう“上端”は下側に、また“下端”は上側に現れるものと理解されるべきである。
【００２２】
上記クリップ治具２は、一本の棒材（例えば針金）を屈折させて形成することができる。
【００２３】
外側挟み棒部4と中側挟み棒部6と内側フック棒部8とは、同一の仮想平面上に位置し得る形状させることが好適である。
【００２４】
上記外側挟み棒部4は、垂直方向に直線的に伸びる直棒部である。このような形状とすることで手帳類の背Ｂに対する接触面積が増加し、中側挟み棒部6との間に手帳類を挟むときにクリップ治具2が脱落しにくい。なお外側挟み棒部4の代わりに中側挟み棒部6を直線的に形成してもよいが、これに関しては後述の実施形態で述べる。
【００２５】
上記外側挟み棒部4からは、中側挟み棒部6の下端よりも下方にガイド棒部10を延長する。手帳類に表カバーが装着されているときに、このガイド棒部10を、手帳類の本体の背と表カバーとの間に挿入することができる。このガイド棒部10は軽く弯曲させることができる。
【００２６】
上記中側挟み棒部6は、外側挟み棒部4の上端から小さなＲを存して弯曲させ、下内方へ折り返している。本実施形態の中側挟み棒部6は、外側へ弓状に弯曲させている。このような形状とすることで、外側挟み棒部4との間のクリップ力が向上する。外側挟み棒部4及び中側挟み棒部6で、逆Ｕ字形のクリップ機構３を構成する。
【００２７】
上記内側フック棒部8は、後述の差込み用ボードの枢着部をフックするためのフック手段と、内側フック棒部8を回転軸として回動を可能とする軸棒としての機能を有する。軸棒としての機能を担保するために、垂直方向に直線的に延びるように形成している。
【００２８】
また内側フック棒部8の上端は、外側挟み棒部4及び中側挟み棒部6の各上端よりも下方に位置させている。そうしなければ外側挟み棒部4及び中側挟み棒部6の間に手帳類20を挟み込んだときに、内側フック棒部8の上端が手帳類20の輪郭からはみだし、邪魔になるからである。
【００２９】
次に本願発明の手帳類セットを構成する、手帳類20と差込み用ボード30とを説明する。手帳類20は従来公知の構造である。一般に図４中、符号Ｂで表す箇所は、背（spine）と、またＧで表す箇所は、のど（gutter）と呼ばれている。
【００３０】
差込み用ボード30は、長方形状のボード本体32と、ループ状の枢着部34とからなる。図示例では、ボード本体32の長辺の上部側に、左右一対のループ状枢着部34を付設している。
【００３１】
上記ループ状枢着部34は、左右両埋設端部34ｂをＴ字形とした帯状の材料から形成される。ボード本体32は、肉厚の基層32ａと２枚の表層32bとで形成されている。そしてループ状枢着部34の設置箇所に対応して、基層32aの表裏側に、上記Ｔ字形に相当した凹部33を形成し、この凹部33に上記左右両埋設端部34ｂを嵌合させたのちに基層32ａの両側に表層32bを貼り付けることで、ループ状枢着部34を形成する。
【００３２】
上記構成によれば、上記クリップ治具2のクリップ機構3に、本の背ＢからのどＧに亘る部分を挟持させ（図４参照）、次に上記ループ状枢着部34を内側フック棒部8に挿通させることで（図３参照）、手帳類20と差込み用ボード30とを連結できる。
【００３３】
本実施形態の構成では、外側挟み棒部4を直線形状に、また中側挟み棒部6を弯曲形状としたから、換言すれば、弯曲部分を手帳類ののどＧ側に位置させたので、手帳類の背Ｂ側でクリップ治具が嵩張ることがない。従って手帳類20を開いたときに背Ｂ側にできる空間の高さｈが小さい、比較的薄い手帳類にも適用し易い。
【００３４】
次に左右一対のループ状枢着部34を用いた好適な実施例の一例を示す。
（イ）例えばシステム手帳において、隣り合う２頁に亘って一週間分の週間スケジュールを記入するようになっている場合には、週の前半には、右側の頁の上に差込み用ボード30を重ねて、この差込み用ボード30の左側のループ状枢着部34にクリップ治具2の内側フック棒部8を挿通させればよい。
（ロ）そして週内の予定をそれぞれ付箋に書き込んで、それらの付箋を差込み用ボード30に貼り付ける。
（ハ）付箋の位置は容易に変更できるので、優先順位に応じて差込み用ボード30内での付箋の順序を入れ替え、整理することは簡単にできる。
（ニ）そして予定入りの付箋を、週前半に相当する左側の頁の各日に貼り付ける。週前半のスケジュールに組み込めなかった予定は差込み用ボードの上に残しておく。
（ホ）  そして週前半が終わった時点で、内側フック棒部8から左側のループ状枢着部34を外し、差込み用ボード30を右側の頁に重ねて右側のループ状枢着部34を内側フック棒部8に挿通する。こうすることで差込み用ボード30を容易に移動することができるとともに、差込み用ボード30上に配置した付箋もそのまま繰り越しできる。
【００３５】
図６から図８は、本発明の第２の実施形態に係るクリップ治具及びこれを適用した手帳類セットを示している。
【００３６】
本実施形態のクリップ治具2は、図６に示すように、中側挟み棒部6を垂直な直線状とするとともに、外側挟み棒部4を内側へ弓状に弯曲するに形成している。
【００３７】
本実施形態の構成では、中側挟み棒部6を直線形状に、また外側挟み棒部4を弯曲形状としたから、換言すれば、弯曲部分を手帳類の背Ｂ側に位置させたので、手帳類ののどＧ側でクリップ治具が嵩張ることがない。従って手帳類20を開いたときに体裁がよい。
【００３８】
図10から図11は、本発明の第３の実施形態に係るクリップ治具及びこれを適用した手帳類セットを示している。
【００３９】
本実施形態では、クリップ治具2の外側挟み棒部4を波形状に形成している。これにより、ルーズリーフをリング状留め具Ｒで係止するタイプの手帳において、そのリング状留め具Ｒの輪郭に沿って外側挟み棒部4を適用することが容易である（図11参照）。好適な図示例では、波形の外側挟み棒部4と直線状の中側挟み棒部6とでリング状留め具Rを挟むようにしている。
【００４０】
上記外側挟み棒部4の波のピッチは、既存のルースリーフのバインダー孔のそれと同じとすることが望ましい。
【実施例】
【００４１】
図12は、本発明の一つの好適な実施例の側面図である。この実施例には外側挟み棒部4と中側挟み棒部6とを連結する連結部5を水平方向に直線的な形状としている。こうすることで、クリップ機構３のクリップ力を向上させることができる。
【符号の説明】
【００４２】
２…クリップ治具  ３…クリップ機構  ４…外側挟み棒部  ６…中側挟み棒部
８…内側フック棒部    10…ガイド棒部
20…手帳類
30…差込み用ボード  32…ボード本体  33…凹部  34…ループ状枢着部
34ａ…埋設端部  
Ｂ…背  Ｇ…のど  Ｒ…リング状留め具
【図１】
0005961043.tif 000002
【図２】
0005961043.tif 000003
【図３】
0005961043.tif 000004
【図４】
0005961043.tif 000005
【図５】
0005961043.tif 000006
【図６】
0005961043.tif 000007
【図７】
0005961043.tif 000008
【図８】
0005961043.tif 000009
【図９】
0005961043.tif 000010
【図１０】
0005961043.tif 000011
【図１１】
0005961043.tif 000012
【図１２】
0005961043.tif 000013